(57)【要約】【課題】  外履き用下肢装具の損傷を防止して、患者への経済的負担を低減することのできるオーバーシューズを提供することを目的とする。【解決手段】  外履き用下肢装具７０の外履き用靴構造体７１の上から履くオーバーシューズ１０である。高価な外履き用下肢装具７０が傷み難くなるので、補修や取り替えの頻度が少なくなる。オーバーシューズ１０は比較的安価であるから、これを取り替えてもあまり費用がかからない。更に内面に耐摩耗性当て部材１１が設けられているから、下肢装具７０の足継手部７５が当たっても損傷を受け難い。また背伸縮部２３の収縮によって内部の靴構造体７１が一層ずれずにフィットする。【選択図】      図１
2006109953.tif 000002
【特許請求の範囲】
【請求項１】
外履き用靴構造体を備えた下肢装具の前記外履き用靴構造体を収納する靴型構成を備えたものであることを特徴とするオーバーシューズ。
【請求項２】
前記オーバーシューズの内側面において、前記下肢装具における足関節の足継手部と当接する部分に、耐摩耗性当て部材が設けられたものである請求項１に記載のオーバーシューズ。
【請求項３】
前記当て部材が、スチレンブタジエンゴム、ブタジエンゴム、イソプレンゴム、天然ゴム、シリコーンゴム、塩化ビニル樹脂よりなる群から選択される１種以上の素材で構成されたものである請求項２に記載のオーバーシューズ。
【請求項４】
前記当て部材は中央の厚肉部と外周縁近傍の薄肉部を備え、該薄肉部分に沿って縫着されたものである請求項２または３に記載のオーバーシューズ。
【請求項５】
前記オーバーシューズの足首開口付近における背側中央を挟む両横が、伸縮性素材で構成されたものである請求項１〜４のいずれかに記載のオーバーシューズ。
【発明の詳細な説明】
【技術分野】
【０００１】
本発明は、下肢装具を装着した状態で使用するオーバーシューズに関するものである。
【背景技術】
【０００２】
例えば脳障害に伴う痙性麻痺者等は、歩行運動に際して尖足内反変形若しくは尖足外反変形等を生じて合理的歩行が困難となることがあり、この様な場合に一般に下肢装具が用いられている。
【０００３】
下肢装具としては、合成樹脂製板体で足の裏や背側から覆う様にしたシューホン型（靴べら型）の短下肢装具２０が一般的であり（図６：シューホン型短下肢装具２０を示す斜視図）、外出に際してはこの短下肢装具２０の上に専用の靴６０を履く様になっている（図７：短下肢装具２０の上に専用靴６０を履いた様子を表す側面図であり、図中、６７は足である）（例えば特許文献１の特に図６参照）。尚この専用靴６０は甲部分を大きく開けることができ、下肢装具２０によって足首の動きが制約された状態でも容易に履ける様になっている。
【０００４】
また足首より下の足部分が外履き用靴構造体７１となった下肢装具（以下、外履き用下肢装具と称することがある）７０も知られており（例えば特許文献１の特に図２，８参照）、戸外で活動するとき等に下肢装具を装着する患者は、専らこの外履き用下肢装具７０を用いている。
【０００５】
図４は、上記外履き用下肢装具７０を示す側面図である。該下肢装具７０は、足の脹ら脛部分に取付けられる脹ら脛装着部７２と、この脹ら脛装着部７２から下方に延びた金属製支柱７６と、該金属製支柱７６の下端に接続された外履き用靴構造体７１とからなる。該外履き用靴構造体７１は通常の靴と同様に、靴の裏に靴底ゴム７１ａを備え、甲部分のベルト７１ｂの開閉によって履き脱ぎできる様になっている。また脹ら脛装着部７２は金属製脹ら脛支持部７２ａに布製の環状ベルト７２ｂが取り付けられた構造であり、このベルト７２ｂによって脹ら脛に着脱自在となっている。上記金属製支柱７６は、外履き用靴構造体７１に取り付けられた金属製支持片７４と、脹ら脛装着部７２から延びる側柱部７３とから構成され、これら金属製支持片７４と側柱部７３は、足継手部７５で揺動可能（屈曲可能）に連結されている。この様に揺動可能であるから、足首の揺動を円滑に行えて、比較的合理的な歩行が可能となる。
【特許文献１】特開平１１−３１３８６２号公報（特に図２，６，８）
【発明の開示】
【発明が解決しようとする課題】
【０００６】
ところで外履き用下肢装具７０は戸外で使用することから傷み易く、例えば痙性麻痺者は足先を引きずって歩行する傾向にあるので、外履き用靴構造体７１の先端が非常に早く破損してしまう。この場合、先端部分の補修を行うこととなるが、そもそも下肢装具は個々の患者の症状や脚の形状に適合させてオーダーメイドで製造されるものであるから、高価になりがちであり、たとえ補修であっても頻繁に行うとすると、患者の経済的負担が大きくなる。加えて補修をしている期間は外履き用下肢装具を使用できないから、患者の行動に制約が課されることにもなる。また上述の如く下肢装具は比較的高価であるから、これを新しいものに取り替える頻度が高いと、患者の経済的負担が非常に大きくなる。
【０００７】
そこで本発明は上記の様な事情に着目してなされたものであって、その目的は、外履き用下肢装具の損傷を極力防いで、患者への経済的負担を低減することのできるオーバーシューズを提供することにある。
【課題を解決するための手段】
【０００８】
本発明に係るオーバーシューズは、外履き用靴構造体を備えた下肢装具の前記外履き用靴構造体を収納する靴型構成を備えたものであることを特徴とする。つまり外履き用下肢装具の靴構造体の更に上から履くオーバーシューズである。
【０００９】
下肢装具の場合は、その製造にあたり足の形状や症状に即して綿密な調整が必要である為、高価なものとならざるを得ないが、上記の如くオーバーシューズであれば、既に患者の足に合った下肢装具の上から履くものであるから、綿密に患者に適合させる必要はなく、健常人の一般的な靴と同程度に比較的安価に製造することができる。そしてこのオーバーシューズを外履き用下肢装具の上から履くことにより、外履き用下肢装具自身の損傷がかなりの程度防止され、外履き用下肢装具の寿命を長くできる。尤もその分、オーバーシューズが傷むことになるが、外履き用下肢装具に比べてオーバーシューズは非常に安価であるから、オーバーシューズの取り替えによる費用，頻度と、外履き用下肢装具の補修や取り替えの費用，頻度とを比較考慮すると、オーバーシューズを使用した方が患者の経済的負担を抑えることが可能である。
【００１０】
また本発明のオーバーシューズとしては、該オーバーシューズの内側面において、前記外履き用下肢装具における足関節の足継手部と当接する部分に、耐摩耗性当て部材が設けられたものであることが好ましい。
【００１１】
支柱の足継手部は屈曲可能（揺動可能）に接続される部分であるが、この部分は出っ張っており、しかも金属等の比較的硬い材料で構成されている為、オーバーシューズの内側面は足継手部が擦れて損傷を受け易いが、上述の様にこの当接部分に耐摩耗性当て部材を設けることにより、損傷が防止され、オーバーシューズの寿命が長くなる。
【００１２】
更に前記当て部材が、スチレンブタジエンゴム、ブタジエンゴム、イソプレンゴム、天然ゴム、シリコーンゴム、塩化ビニル樹脂よりなる群から選択される１種以上の素材で構成されたものであることが好ましい。これらの素材であれば良好な耐摩耗性，耐久性を発揮するからである。
【００１３】
また前記当て部材が、中央の厚肉部と外周縁近傍の薄肉部を備え、該薄肉部分に沿って縫着されたものであることが好ましい。当て部材自身が上記の如く耐摩耗性に優れた素材であっても、これを縫着する糸が足継手部との摩擦によって損傷し、ついには切れて当て部材が剥がれるという懸念があるが、上述の様に薄肉部分に沿って縫着することにより、縫着糸が一段低く位置することとなって足継手部に当たらず、該縫着糸の損傷が避けられる。
【００１４】
更に本発明において、前記オーバーシューズの足首開口付近における背側中央を挟む両横が、伸縮性素材で構成されたものであることが好ましい。この伸縮性素材により背中央上部が前方に引き寄せられ、これによりオーバーシューズ内の外履き用靴構造体が踵部にフィットし、しっかりと固定され得る。
【発明の効果】
【００１５】
本発明に係るオーバーシューズを外履き用下肢装具の更に上に履くことにより、高価な外履き用下肢装具の損傷がかなり防止され、比較的安価なオーバーシューズを取り替えるだけで済み、患者の経済的負担の低減を図ることができる。
【００１６】
更にオーバーシューズの内側面の所定箇所に耐摩耗性当て部材を設けることで、オーバーシューズ自身の寿命を長くすることができる。加えて当て部材をその薄肉部分において縫着することで、縫着糸の損傷を防止でき、当て部材が外れてしまうことを防ぐことができる。またオーバーシューズの背側中央両横を伸縮性素材で構成することにより、下肢装具の外履き用靴構造体をオーバーシューズ内にしっかりと固定することができる。
【発明を実施するための最良の形態】
【００１７】
以下、本発明に係るオーバーシューズに関して、例を示す図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１８】
図１は本発明の一実施形態に係るオーバーシューズを示す図であり、その（ａ）は斜め前方から見た斜視図で、（ｂ）は背面図である。
【００１９】
該オーバーシューズ１０は外観が通常のスニーカー風のデザインとなっているが、甲部分を覆うアッパー部２１は、靴紐１３が取り付けられた中央部分とその両横の横甲押さえ部１２が一体となり、前方に開けることが可能なものとなっている（後述の図３（ｂ）参照）。尚横甲押さえ部１２の端部分には摘み部１２ａが形成されていて、持ち易くなっている。そして横甲押さえ部１２とオーバーシューズ本体１９との重ね合わせ面には一対の面ファスナー１２ｂが介装され、この面ファスナー１２を係合させることで甲部分をしっかりと押さえることができる様になっている。また適宜靴紐１３をきつく締めて紐止めスライダー１３ａで留めることで、甲部分のフィット性をより向上し得る様になっている。
【００２０】
加えて足首近くの甲部分にはベルト１４が設けられている。このベルト１４は一方端部分にホック１４ａを備えると共に、他方端から中程にかけた位置においてオーバーシューズ本体１９との間に一対の面ファスナー１４ｂを備えており、予めオーバーシューズ本体１９に対してベルト１４の一方端をホック１４ａで留め、ベルト１４で締め付ける様にしつつ面ファスナー１４ｂを係合することにより、足首近傍でオーバーシューズ１０をしっかりと固定できる様になっている。
【００２１】
足首開口２２付近における背側（アキレス腱部分）は、比較的硬質の背中央上部２４とその両側の背伸縮部２３で構成されている。該背伸縮部２３はネオプレンゴム等の伸縮性素材からなり、この背伸縮部２３の収縮力によって足の縦方向のフィット性を向上し得る様になっている。また足首開口２２の背中央からは突片１５が突出しており、装着操作の際にオーバーシューズ１０の踵を引き上げ易くなっている。
【００２２】
靴裏面に設けられたゴム底１８は爪先部分に捲き上げられており、たとえ爪先を擦る様に歩いた場合でも該爪先部分が丈夫であるので、早期に買い換えなくても済む。
【００２３】
オーバーシューズ１０の内側面には、外履き用下肢装具７０の足継手部７５と丁度当接する部分に当て部材１１が設けられている。尚図２の（ａ）はオーバーシューズ１０内側面における当て部材１１付近を表す拡大図で、（ｂ）は当該当て部材１１付近の断面図である。
【００２４】
当て部材１１はその外周縁よりやや内側の位置に外周縁に沿った溝が形成されたものであり、この溝部分（薄肉部１１ｂ）において縫着糸１６によってオーバーシューズ本体１９の内面部材１７に縫着されている。尚当て部材１１において薄肉部１１ｂ以外の部分が厚肉部１１ａとなる。この当て部材１１はスチレンブタジエンゴムと天然ゴムからなり、その表面は比較的滑らかでざらつきがない。
【００２５】
次に上記オーバーシューズ１０の装着手順について説明する。図３はオーバーシューズ１０の装着手順を説明する為の図である。
【００２６】
先ずオーバーシューズ１０におけるベルト１４の面ファスナー１４ｂを外してベルト１４を外側に捲り（図３（ａ））、続いて左右の摘み部１２ａを摘んでアッパー部２１の面ファスナー１２ｂを外しつつアッパー部２１を前方に倒し、足首から甲部分まで広く開口する（図３（ｂ））。次に、足６７に外履き用下肢装具７０を装着したままで（図４参照）、上記オーバーシューズ１０の開口から装入する。このとき適宜突片１５を引っ張る等して、下肢装具７０の外履き用靴構造体７１が踵の奥まできっちりと入る様にする（図３（ｃ））。次いでアッパー部２１の左右の横甲押さえ部１２における面ファスナー（対の一方）１２ｂをオーバーシューズ本体１９の面ファスナー（対の他方）１２ｂに係合し、更にベルト１４における面ファスナー（対の一方）１４ｂをオーバーシューズ本体１９の面ファスナー（対の他方）１４ｂに係合する。このとき外履き用靴構造体７１とオーバーシューズ１０にゆるみがない様にしっかりと留める（図３（ｄ））。この様にしてオーバーシューズ１０の装着が完了する。
【００２７】
外履き用下肢装具７０の靴構造体７１の上にオーバーシューズ１０を履いているので、内の外履き用靴構造体７１は痛み難く、外履き用下肢装具７０が長く使えて患者の経済的負担が低減する。
【００２８】
またオーバーシューズ１０を装着した状態のとき、外履き用下肢装具７０の足継手部７５が当て部材１１の箇所に位置しており、該当て部材１１は耐摩耗性が高く破損し難い素材で構成されているので、硬い足継手部７５が当たっても損傷を受け難い。従ってオーバーシューズ１０を長く使用可能である。更に当て部材１１は滑り難い素材でもあるから、オーバーシューズ１０内で外履き用靴構造体７１がずれることを防止できる。尚仮に当て部材１１を皮革で構成すると、皮革は耐摩耗性が低く、直ぐに破れてしまう虞があり、加えて皮革は滑りやすい為、外履き用靴構造体７１がオーバーシューズ１０内でずれてしまう懸念があるが、上記の如くスチレンブタジエンゴム＋天然ゴム等の合成樹脂を用いれば、耐久性があり、また外履き用靴構造体７１もずれ難い。
【００２９】
更に２つの背伸縮部２３の伸縮によってこれらに挟まれた背中央上部２４が前方に引きよせられ、この背中央上部２４によってオーバーシューズ１０内で外履き用靴構造体７１の踵部がフィットする結果、外履き用靴構造体７１は前後方向に殆どずれずフィット性が向上する。加えて当て部材１１と足継手部７５の位置関係もずれないから、足継手部７５が当て部材１１から外れた箇所に当接することがない。
【００３０】
また当て部材１１を取り付ける縫着糸１６は、当て部材１１の窪んだ部分（薄肉部１１ｂ）に配置されているので、足継手部７５や支柱７６，外履き用靴構造体７１が縫着糸１６に擦れることが殆どなく、従って縫着糸１６が切れる虞が少ない。
【００３１】
尚上記実施形態では、当て部材１１として一定厚みの厚肉部１１ａに、薄肉部１１ｂを溝の様に形成したものを示したが、これに限らず、図５（他の例における当て部材付近を表す断面図）に示す様に、当て部材３１の外周に沿って一段低い薄肉部３１ｂを形成したものであっても良く、この薄肉部３１ｂに沿って縫着しても良い。尚図５中、３１ａは厚肉部である。
【００３２】
またオーバーシューズ内側面に当て部材１１を縫着により取り付ける場合に限らず、接着剤により接着したり、また当て部材１１の裏面を少し溶融して溶着する等の方法で取り付けても良い。
【００３３】
上記実施形態では、当て部材１１の素材としてスチレンブタジエンゴムと天然ゴムの混合物を挙げたが、これに限るものではなく、スチレンブタジエンゴム単独のものや、ブタジエンゴム、イソプレンゴム、シリコーンゴム等であっても良い。
【図面の簡単な説明】
【００３４】
【図１】本発明の一実施形態に係るオーバーシューズを示す図であって、（ａ）は斜め前方から見た斜視図、（ｂ）は背面図である。
【図２】（ａ）は図１に示すオーバーシューズの内側面における当て部材付近を表す拡大図、（ｂ）はこの当て部材付近の断面図である。
【図３】図１に示すオーバーシューズの装着手順を説明する為の図である。
【図４】外履き用靴構造体を備えた下肢装具を示す側面図である。
【図５】本発明に係るオーバーシューズの他の例における当て部材付近を表す断面図である。
【図６】シューホン型短下肢装具を示す斜視図である。
【図７】シューホン型短下肢装具の上に専用靴を履いた様子を表す側面図である。
【符号の説明】
【００３５】
１０  オーバーシューズ
１１，３１  当て部材
１１ａ，３１ａ  厚肉部
１１ｂ，３１ｂ  薄肉部
１２  横甲押さえ部
１３  靴紐
１４  ベルト
１６  縫着糸
１７  内面部材
１９  オーバーシューズ本体
２１  アッパー部
２３  背伸縮部
２４  背中央上部
７０  外履き用下肢装具
７１  外履き用靴構造体
７３  側柱部
７４  金属製支持片
７５  足継手部
７６  金属製支柱
【図１】
2006109953.tif 000003
【図２】
2006109953.tif 000004
【図３】
2006109953.tif 000005
【図４】
2006109953.tif 000006
【図５】
2006109953.tif 000007
【図６】
2006109953.tif 000008
【図７】
2006109953.tif 000009